(57)【要約】      （修正有）【課題】対象物からの配置距離に応じて視認性を変化せる偏光シート、また一点或いは略球形の光源から放射状に放射させる光を略四角形に偏光させ、透過させ、或いは他の対象物に投影させる偏光シートを提供する。【解決手段】光を屈折させて透過させる透明なプラスチックシート製の偏光シート１であって、プラスチックシートの表面に縦レンチキュラーレンズ２ａ及び縦溝２ｂが交互に平行に複数列配置され、プラスチックシートの裏面には縦レンチキュラーレンズ及び縦溝と交差する横レンチキュラーレンズ３ａ及び横溝３ｂが交互に平行に複数列配置され、対象物からの配置距離に応じて対象物の視認性を変化させることを特徴とする。【選択図】図２
0003185126.tif 000002
【実用新案登録請求の範囲】
【請求項１】
光を屈折させて透過させる透明なプラスチックシート製の偏光シートであって、
前記プラスチックシートの表面に縦レンチキュラーレンズ及び縦溝が交互に平行に複数列配置され、
前記プラスチックシートの裏面には前記縦レンチキュラーレンズ及び縦溝と交差する横レンチキュラーレンズ及び横溝が交互に平行に複数列配置され、
対象物からの配置距離に応じて前記対象物の視認性を変化させることを特徴とする偏光シート。
【請求項２】
前記縦レンチキュラーレンズ及び縦溝と横レンチキュラーレンズ及び横溝の交差の角度が略９０°で、一点或いは略球形の光源から放射状に放射される光を略四角形に透過させることを特徴とする請求項１に記載の偏光シート。
【請求項３】
前記プラスチックシートが湾曲可能な可撓性能を有し、請求項２に記載の偏光シートを湾曲させ、一点或いは略球形の光源から放射状に放射させる光源の光を覆うことで、左右正面いずれの方向からでも前記透過光が略四角形に視認されることを特徴とする偏光シート。
【考案の詳細な説明】
【技術分野】
【０００１】
本考案は、被覆され或いは遮蔽される対象物を、配置される位置、即ち対象物からの配置距離に応じて対象物の視認性（透過性）が変化する偏光シートに関し、さらには一点或いは略球形の光源から放射状に放射される光を略四角形に偏光させ、透過させ、或いは他の対象物に投影させ、また可撓性を有する偏光シートに関する。
【背景技術】
【０００２】
偏光シートとしては、レンチキュラーレンズ（かまぼこ状のレンズ）を用いたレンチキュラーシートが知られている。レンチキュラーシートは、表面のレンチキュラー画像上に、細長いカマボコ状の凸レンズ（レンチキュラーレンズ）が無数に配置され、見る角度によって絵柄が変化したり、立体感が得られたりする印刷物のことである（非特許文献１）。
【０００３】
また、携帯電話、スマートホンの画面に貼付し、横から他人にディスプレイを視認されないよう、偏光させるシートも知られている（特許文献１）。
【０００４】
例えば、特許文献１の画像表示装置用の視野角規制シートは、サイドからの視認性を抑制し得ると共に、一つの部材に防眩機能と反射防止機能が付与され、例えば個人情報の洩れを嫌う画像表示装置に好適に用いられる、リバーシブル使用が可能な視野角規制シートであって、実質上、上下面に対して垂直にかつ互いに平行になるように設けられた複数の高光吸収性層を有する透明シートの一方の面に、防眩フィルムをその防眩層が外側に位置するように貼合すると共に、他方の面に、反射防止フィルムをその反射防止層が外側に位置するように貼合してなる画像表示装置用の視野角規制シートというものである。
【０００５】
しかしながら、対象物からの配置距離に応じて視認性を変化せる偏光シート、一点或いは略球形の光源から放射状に放射させる光を略四角形に偏光させ、透過させ、或いは他の対象物に投影させる偏光シートは知られていない。
【先行技術文献】
【特許文献】
【０００６】
【特許文献１】特開２００６−１８４６９５号公報
【非特許文献】
【０００７】
【非特許文献１】http://ja.wikipedia.org/wiki/%E3%83%AC%E3%83%B3%E3%83%81%E3%82%AD%E3%83%A5%E3%83%A9%E3%83%BC
【考案の概要】
【考案が解決しようとする課題】
【０００８】
そこで、本考案は、対象物からの配置距離に応じて視認性を変化せる偏光シート、また一点或いは略球形の光源から放射状に放射させる光を略四角形に偏光させ、透過させ、或いは他の対象物に投影させる偏光シートを提供するとことを目的とする。
【課題を解決するための手段】
【０００９】
本考案は、上記の課題を解決するために、
（１）
光を屈折させて透過させる透明なプラスチックシート製の偏光シートであって、
前記プラスチックシートの表面に縦レンチキュラーレンズ及び縦溝が交互に平行に複数列配置され、
前記プラスチックシートの裏面には前記縦レンチキュラーレンズ及び縦溝と交差する横レンチキュラーレンズ及び横溝が交互に平行に複数列配置され、
対象物からの配置距離に応じて前記対象物の視認性を変化させることを特徴とする偏光シートの構成とした。
（２）
前記縦レンチキュラーレンズ及び縦溝と横レンチキュラーレンズ及び横溝の交差の角度が略９０°で、一点或いは略球形の光源から放射状に放射される光を略四角形に透過させることを特徴とする（１）に記載の偏光シートの構成とした。
（３）
前記プラスチックシートが湾曲可能な可撓性能を有し、（２）に記載の偏光シートを湾曲させ、一点或いは略球形の光源から放射状に放射させる光源の光を覆うことで、左右正面いずれの方向からでも前記透過光が略四角形に視認されることを特徴とする偏光シートの構成とした。
【考案の効果】
【００１０】
本考案は、透明なプラスチックシートの表裏両面で交差する直線上の縦レンチキュラーレンズ及び縦溝、横レンチキュラーレンズ及び横溝を各面に平行に複数列配置することで、対象物からの配置距離に応じて対象物の視認性を変化させることができる。対象物に接近して偏光シートを配置すると対象物を視認でき、対象物から距離をとって配置すると対象物を視認することができない。このような偏光シートの効果を用いて、商品陳列棚全体を覆う大きさの偏光シートを作成し、閉店後の商品の目隠しに利用することができる。また、可撓性があるので、不使用時は、ロール状にして収納することができる。また、光と組み合わせて装飾品などにも応用できる。
【００１１】
また、縦レンチキュラーレンズ及び縦溝と横レンチキュラーレンズ及び横溝の交差の角度が略９０°であれば、一点或いは略球形の光源から放射状に放射させる光を略四角形に偏光して透過させることができる。また光源の正面に本考案の偏光シートを湾曲して配置した場合、正面、左右側面に移動して光源からの透過光を見ても、一点或いは略球形の光源から放射状に放射される光は四角形に偏光シートを透過し、さらには他の対象物に投影される。このような偏光シートの効果を用いて、光と組み合わせた電光装飾品を開発することができる。さらに、偏光シートを回転させ、或いは複数枚重ねた上で回転などすることで、より複雑な透過光による光の幾何学模様を演出することができる。例えるならば、万華鏡を覗いたときのような模様変化を偏光シート平面上に表現することができる。透過像は偏光シートの回転にともなって同じく回転する。
【図面の簡単な説明】
【００１２】
【図１】本考案である偏光シートの平面模式図である。
【図２】本考案であるの偏光シートの拡大斜視模式図である。
【図３】本考案である偏光シートと携帯電話（写真撮影用のライト（光源６）を有する背面側）の写真である。
【図４】本考案である偏光シートによって、携帯電話のカメラ撮影用ライト（光源６）の光６ａを透過させたときの透過光６ｃの形状と大きさの変化の様子を撮影した写真である。
【図５】本考案である偏光シートによって、携帯電話のディスプレイ７を被覆したときのディスプレイ７の視認性の変化の様子を撮影した写真である。
【図６】本考案である偏光シートを湾曲させ、ライト（光源６）が備えられている携帯電話の背面側に距離をあけて配置したときの様子である。ライト（光源６）は、まだ偏光シート１によって覆われていない。
【図７】図６において、さらに携帯電話を湾曲した偏光シート１内に挿入し、正面、左右側面からライトの透過光６ｄを撮影したときの写真である。
【図８】長大で可撓性のある本考案の偏光シート及びパソコン画面を覆ったときの様子を撮影した写真である。
【図９】複数のＬＥＤライトの前に本考案である偏光シートを配置した場合の透過像のイメージ図である。
【図１０】本発明である偏光シートを２枚重ねて回転させたときの透過像の変化を知るために撮影した写真である。
【図１１】発明である偏光シートを２枚重ねて回転させたときの透過像の変化の様子を撮影した写真である。
【考案を実施するための形態】
【００１３】
以下、添付の図面を参照し、本考案の実施の形態について詳細に説明する。なお、本考案は下記実施例に限定されるものではない。
【実施例１】
【００１４】
図１、図２に示すように、本考案である偏光シート１は、光を屈折させて透過させる透明なプラスチックシート製で、表面２にと裏面３に、直線状のレンチキュラーレンズ及び溝が平面透視で交差して複数列配置されてなる。図１、２では交差角は９０°とした。その他の角度も採用できる。
【００１５】
表面２には縦レンチキュラーレンズ２ａ及び縦溝２ｂが交互に平行に複数列配置され、裏面３には縦溝２ｂと平面透視で、交差する横レンチキュラーレンズ３ａ及び横溝３ｂが平行に交互に複数列配置される。
【００１６】
図２に示すように、縦レンチキュラーレンズ２ａ及縦溝２ｂは、直線状に複数列形成され、隣り合う縦レンチキュラーレンズ２ａ及縦溝２ｂとは平行である。縦レンチキュラーレンズ２ａは断面半円で、端部は隣の縦レンチキュラーレンズ２ａと接触する。
【００１７】
図２に示すように、裏面３の横レンチキュラーレンズ３ａ及び横溝３ｂは、縦レンチキュラーレンズ２ａ及び縦溝２ｂを９０°回転したものと同じである。
【００１８】
他方、縦横レンチキュラーレンズ２ａ、３ａの代わりに断面略三角形、半楕円などのレンズ、縦横溝２ｂ、３ｂの代わりにＶ字溝、Ｕ字溝としたり、それらを混合したり、隣り合う縦横溝２ｂ、３ｂと間隔をあけて配置したり、さらに表面２、裏面３で異なる形状の縦横レンズ、縦横溝２ｂ、３ｂを形成するなどの応用も可能である。また、幅１、幅２、高さを適宜変更することで、異なる透過像を得ることができる。
【００１９】
透明なプラスチックシートとしては、ＰＶＣやＰＣ素材などが、加工性もよく、薄いシート状にしたとき湾曲可能な可撓性を備えるため好適である。なお、透明なプラスチックシートは、光を透過させ、レンチキュラーレンズで光を屈折させることができる素材であれば特に限定されず、着色されていてもよい。
【００２０】
また、偏光シート１は薄いシート状で、形状は平面四角形（長さは問わない）、内部に対象物又は光源を収納できる空洞を備えた筒状或いは球形などが例示できる。後述のように、偏光シートを筒状にして、内部に一点或いは略球形の光源を収納して発光させることで、全方向から透過像は四角形に視認することができる。
【００２１】
縦横レンチキュラーレンズ２ａ、３ａ及び縦横溝２ｂ、３ｂは、例えば、溝の形状を備える２枚のプレートを上下から熱プレスすることで容易に形成することができる。
【００２２】
このようにしてなる偏光シート１は、透視、遮蔽させる対象物からの配置距離に応じて、即ち対象物からの距離に応じて、対象物の視認性が変化する。偏光シート１の配置距離が、対象物に近い場合には偏光シート１を通して対象物を見れば対象物が何であるか視認でき、対象物から遠い距離に配置した場合には偏光シート１を通して対象物を見ても対象物が何であるか視認することができない。
【００２３】
さらに、縦横レンチキュラーレンズ２ａ、３ａ及び縦溝２ｂ、横溝３ｂの交差角を図１、図２（縦横レンチキュラーレンズに平行な点線との交差角）に示すように略９０°になるように形成することで、一点或いは略球形の光源から放射状に放射させる光を略四角形に偏光させ、透過、他の対象物に投影させることができる。このような作用を利用して、偏光シート１に略四角形の透過像を形成させたり、他の対象物に略四角形の投影像を映したりすることができ、いままでにない光の装飾品（電飾）を提供することができる。
【００２４】
また、光源からの距離に応じて、透過、投影される略四角形の透過像、投影像の大きさが変化する。光源に近くに偏光シート１を配置すれば略四角形の透過像は小さく、偏光シート１が光源から遠くに配置されるにしたがって略四角形の透過像は大きくなる。
【００２５】
偏光シート１の縦横レンチキュラーレンズ２ａ、３ａ及び縦溝２ｂ、横溝３ｂをずらして複数枚重ね、或いは重ねた上で回転などの移動をさせ、光源の前に配置することで、一層複雑な、幾何学的な光の模様の透過像、投影像を形成することがでる電飾を提供することができる。
【実施例２】
【００２６】
偏光シート１によって、一点或いは略球形の光源から放射状に放射される光を略四角形に透過させることについて、図３、４を参照して説明する。
【００２７】
図３に示すように、（ｂ）携帯電話５のカメラ撮影用の一点から放射される光源（撮影用ライト）の光６ａを、（ａ）本考案である偏光シート１（点線枠内、以下同じ。）で覆ったときの光６ａの偏光シート１に形成される透過像を撮影した（図４）。
【００２８】
図４（Ａ）に示すように、携帯電話５（一点鎖線枠内、以下同じ。）のカメラ撮影用ライト（光源６）が備えられる背面に、偏光シート１を載置すれば、即ち光源６に接近して配置すれば、光源６から発光される光は、偏光シート１に円形の透過光６ｂの像が浮かびあがる。
【００２９】
図４（Ｂ）に示すように、携帯電話５から距離（２ｃｍ程度）をあけて偏光シート１を配置すると、一点から放射されるカメラ撮影用ライトの光は、偏光シート１に略四角形の透過光６ｃを映しだす。さらに図４（Ｃ）、（Ｄ）と、携帯電話５から距離を遠ざけると、略四角形の透過光６ｃは、その大きさを増す。偏光シート１と携帯電話５との距離は図４（Ｃ）より図４（Ｄ）が遠い。なお、図４（Ｃ）及び（Ｄ）では偏光シート１の下にある携帯電話５は全く視認できない。
【実施例３】
【００３０】
次に、偏光シート１の配置により、対象物（ここでは携帯電話５のディスプレイ７）視認性の変化について、図５を参照して説明する。
【００３１】
図５（１）に示すような、携帯電話５のディスプレイ７（時刻１９：５７の表示を視認できる）の前に、配置距離を変えて、偏光シート１で覆うことで、図５（２）、図５（３）のようにディスプレイ７の視認性が変化する。図５（２）、（３）も図５（１）とほぼ同日時に撮影した。
【００３２】
図５（２）は、ディスプレイ７の上に偏光シート１を載置した場合の写真であり、ディスプレイ７が視認できるとともに、偏光シート１が介在してもディスプレイ７に表示された時刻１９：５７も視認できる。
【００３３】
他方、図５（３）に示すように、ディスプレイ７から偏光シート１を離して（３−４ｃｍ）配置すると、時刻が認識できないだけでなく、偏光シート１の裏側にあるディスプレイ７（対象物）を視認することすらできない。すなわち、対象物から距離を離して本考案の偏光シート１を配置すれば、対象物の目隠しとなる。偏光シート１の配置位置を移動させることで、対象物を視認できたり、できなかったりすることができる。
【実施例４】
【００３４】
次に、偏光シート１を湾曲させて、対象物（ここでは携帯電話５の背面カメラ撮影用ライト）視認性について、図６、図７を参照して説明する。
【００３５】
図６に示すように、偏光シート１を湾曲（断面半円）形状にし、その内部空間に携帯電話５のカメラ撮影用のライトがある背面側を上に挿入することで、図７の正面、左右側面のように、カメラ撮影用のライト（一点から光を放射する光源６）は、偏光シート１に透過光６ｄの像が映し出される。
【００３６】
図７に示すように、湾曲した偏光シート１を通して見る一点から放射される光は、正面、左右側面からも同様に、略四角形に視認することができる。球形のライトであっても同様である。
【実施例５】
【００３７】
次に、長大の可撓性がある偏光シート１について、図８を参照して説明する。
【００３８】
図８の上に示す写真のように、可撓性がある長大の偏光シート１（１枚のシートが重なり湾曲している）は、その裏側の対象物を視認させることがない。接近して配置した場合には当然に対象物を視認できる。このような作用を利用することで、閉店後に商品ディスプレイ、棚などを長大の偏光シート１で覆うことで、対象物が視認できず、盗難防止効果が得られる。
【００３９】
また、図８の下に示す写真のように、長大の偏光シート１をパソコンのディスプレイ８（破線枠内）の正面側に配置することで、ディスプレイ８の内容を目隠しすることができる。
【実施例６】
【００４０】
次に、偏光シート１とＬＥＤライト６ｅ（一点から放射される光源６）とからなる電飾１０について、説明する。
【００４１】
図９（Ａ）に示すように、複数のＬＥＤライト６ｅ（点線円）の前を平面状の偏光シート１を配置して、ＬＥＤライト６ｅを点灯させることで、図９（Ｂ）に示すような略四角形の透過像６ｆが偏光シート１に映しだされる。また、偏光シート１或いはＬＥＤライトを搭載する基盤を回転させることで、透過像６ｆも回転する。このような電飾１０は、従来にない装飾品となる。室内等のインテリアとして利用できる。
【実施例７】
【００４２】
次に、偏光シート１を複数枚重ねたときの透過光、さらに一方の偏光シート１を回転させたときの透過光６ｇの形状変化について説明する。
【００４３】
図１０（Ａ）に示すように、表裏に同一形状の縦横レンチキュラーレンズ２ａ、３ａ及び縦横溝２ｂ、３ｂを備える偏光シート１、１ａ（偏光シート１と１ａは同じ断面構造である）を９０°傾けて重ねて、携帯電話５のカメラ撮影用ライト（バックライト／光源６）を透過させる。バックライトから偏光シート１、１ａまでの距離は、約２ｃｍであった。図１０（Ａ）では、バックライトはまだ偏光シート１、１ａで覆われていない。偏光シート１ａが偏光シート１の上に配置されている。  
【００４４】
図１０（Ｂ）に対象として、偏光シート１を１枚だけで携帯電話５のバックライトの光を透過させたときの写真を示す。透過光６ｃは、図４（Ｃ）と同様に視認できる。なお、撮影方法の相違（距離、位置を一定に保つために左右に印刷用紙約５００枚で壁を形成したため反射光が図４（Ｃ）よりも強く、やや略四角形の周囲も明るさが強くなったためである。）により、略四角形に撮影されなかったため、ここでは偏光シート上の透過光６ｃを破線で囲った。目視では明らかに略四角形に認識できた。
【００４５】
図１０（Ｄ）に、偏光シート１と偏光シート１ａを９０°傾けて重ねて、図１０（Ｂ）同様に携帯電話５のバックライトを撮影した。偏光シート１ａ上の透過光６ｇは略四角形に視認できた。図１０（Ｂ）同様に、同理由から透過光６ｇを破線四角で囲ってある。
【００４６】
図１０（Ｅ）では、偏光シート１と偏光シート１ａを約４５°ずらして重ね、バックライトの光を同様にして撮影した。略四角形には視認できない。透過光６ｇは、円形で外にいくにしたがって明るさがなくなっていく（ドットが少なくなっていく）。他方、バックライトに近接すると円形にバックライドを視認できる。偏光シートを２枚重ねても接近して配置したときの対象物の視認性は偏光シート１枚のときと同定度であった。
【００４７】
図１０（Ｆ）、図１０（Ｇ）では、２枚の偏光シート１、１ａは、僅かに傾いているだけである。図１０（Ｆ）の方が、傾きが大きい。そのとき偏光シート１ａ上に視認できる透過光６ｇは、左右対称の複雑な幾何学模様であった。偏光シート１、１ａ、或いは光源６（バックライト）を一方或いは両方を同一方向に異なるスピード、或いは異なる方向に回転させることで、一層複雑な幾何学模様の透過光６ｇの像を偏光シート上に映し出すことができる。
【符号の説明】
【００４８】
１    偏光シート
１ａ  偏光シート
２    表面
２ａ  縦レンチキュラーレンズ
２ｂ  縦溝
３    裏面
３ａ  横レンチキュラーレンズ
３ｂ  横溝
５    携帯電話
６    光源
６ａ  光
６ｂ  透過光
６ｃ  透過光
６ｄ  透過光
６ｅ  ＬＥＤライト
６ｆ  透過像
７    ディスプレイ
８    ディスプレイ
１０  電飾
【図１】
0003185126.tif 000003
【図２】
0003185126.tif 000004
【図３】
0003185126.tif 000005
【図４】
0003185126.tif 000006
【図５】
0003185126.tif 000007
【図６】
0003185126.tif 000008
【図７】
0003185126.tif 000009
【図８】
0003185126.tif 000010
【図９】
0003185126.tif 000011
【図１０】
0003185126.tif 000012
【図１１】
0003185126.tif 000013